(57)【要約】【課題】バッテリヒューズユニットから保護カバー本体を片手で容易に取り外すことができるバッテリヒューズユニット用保護カバー及びその着脱方法を得る。【解決手段】バッテリヒューズユニット１の上部に、上方から被せて装着されるバッテリヒューズユニット用保護カバー１００であって、ヒューズユニット１の上面縁部３を側壁５よりも突出させて設けた係止凸部７と、下面に開口部を有し可撓性材料からなる箱状の保護カバー本体９と、開口部の縁部１３にヒンジ１５を介して接続され保護カバー本体９の内側に折り曲げられて先端部１９が前記係止凸部７に下方から係止する係止板１７と、前記係止板１７に設けられ保護カバー本体側板２３からの押圧にて内方へ撓み前記先端部１９を前記係止凸部７から係止解除方向に変位させる屈曲部２１とを設けた。【選択図】図１
2010092730.tif 000002
【特許請求の範囲】
【請求項１】
ヒューズユニットの上面縁部を側壁よりも突出させて設けた係止凸部と、
下面に開口部を有し可撓性材料からなる箱状の保護カバー本体と、
前記開口部の縁部にヒンジを介して接続され該保護カバー本体の内側に折り曲げられて先端部が前記係止凸部に下方から係止する係止板と、
該係止板に設けられ保護カバー本体側板からの押圧にて内方へ撓み前記先端部を前記係止凸部から係止解除方向に変位させる屈曲部と、
を具備したことを特徴とするバッテリヒューズユニット用保護カバー。
【請求項２】
請求項１記載のバッテリヒューズユニット用保護カバーであって、
前記係止凸部が、上面縁部の両側にそれぞれ設けられ、
前記係止板が、前記開口部の平行な一対の両辺部にそれぞれ設けられたことを特徴とするバッテリヒューズユニット用保護カバー。
【請求項３】
請求項１又は請求項２記載のバッテリヒューズユニット用保護カバーであって、
前記屈曲部が、前記先端部と前記ヒンジの間に形成され前記保護カバー本体側板の裏面に頂部が当接するとともに裾部が徐々に離反して広がるく字状屈曲部であることを特徴とするバッテリヒューズユニット用保護カバー。
【請求項４】
請求項１〜請求項３のいずれか１項記載のバッテリヒューズユニット用保護カバーであって、
前記係止凸部の係止下面と突出先端面との交わる角部に面取り部が設けられたことを特徴とするバッテリヒューズユニット用保護カバー。
【請求項５】
請求項１〜請求項４のいずれか１項記載のバッテリヒューズユニット用保護カバーであって、
前記係止凸部の係止下面が、前記側壁より離反するにしたがって下る傾斜面であることを特徴とするバッテリヒューズユニット用保護カバー。
【請求項６】
請求項１〜請求項５のいずれか１項記載のバッテリヒューズユニット用保護カバーであって、
前記先端部が当接する係止凸部直下の前記側壁の上端部に、上方に向かって前記側壁から突出する方向へ傾斜する傾斜部が設けられたことを特徴とするバッテリヒューズユニット用保護カバー。
【請求項７】
請求項１〜請求項６のいずれか１項記載のバッテリヒューズユニット用保護カバーであって、
前記保護カバー本体側板の裏面と保護カバー本体内部天井面との隅部に、下面が係止凸部上面に当接し、側面が係止凸部突出先端面に当接する逆Ｌ字状の当接座部が形成されたことを特徴とするバッテリヒューズユニット用保護カバー。
【請求項８】
請求項１〜請求項７のいずれか１項記載のバッテリヒューズユニット用保護カバーの着脱方法であって、
保護カバー本体の下面開口部縁部にヒンジを介し接続した係止板を該保護カバー本体の内側に折り曲げ、
上面縁部を側壁よりも突出させた係止凸部を有するヒューズユニットに、上方から前記保護カバー本体を被せて前記係止板の先端部を前記係止凸部に下方から係止して装着する一方、保護カバー本体側板からの押圧にて前記係止板の屈曲部を内方へ撓めることで前記先端部を前記係止凸部から係止解除方向に変位させて前記保護カバー本体を前記ヒューズユニットから脱着可能とするバッテリヒューズユニット用保護カバーの着脱方法。
【発明の詳細な説明】
【技術分野】
【０００１】
本発明は、車載バッテリに直付けされるヒューズユニットに被せられ、外部との接触による短絡防止や水滴等の浸入による腐食を防止するバッテリヒューズユニット用保護カバー及びその着脱方法に関する。
【背景技術】
【０００２】
従来、自動車に搭載されるバッテリにヒューズを接続し、バッテリポストに電線を介さずに直付けするヒューズユニットが提供されている（例えば特許文献１参照）。
このようなヒューズユニット等には、外部との接触による短絡や水滴等の浸入による腐食を防止するために、例えば合成樹脂からなる絶縁性の保護カバーが被せられる。
【０００３】
上記特許文献に開示されるカバーは、上壁と該上壁の外周縁から下方に向けて突出する周壁とからなり、下面を開口としている。カバーは、一方側がバッテリ端子に被せられるバッテリ端子収容部となるとともに、他方側が第１、第２ヒュージブルリンクに被せられるヒュージブルリンク収容部となり、バッテリ端子収容部の上壁とヒュージブルリンク収容部の上壁とを薄肉ヒンジ部で連結している。そして、カバーに設けた係止孔に第１、第２ヒュージブルリンクに設けた係止爪を係止して、カバーを第１、第２ヒュージブルリンクに係止固定していた。
【特許文献１】特開２００７−８７８２３号公報
【発明の開示】
【発明が解決しようとする課題】
【０００４】
しかしながら、従来の保護カバーは、カバーに設けた係止孔にヒュージブルリンクに設けた係止爪を係止して、カバーを係止固定（嵌め殺し）していたため、取り外し作業では、ドライバ工具等を用いてこじりながら、若しくは両手を使って脱着しなければならないため、より作業性を考慮した係止構造が求められていた。また、バッテリケース、ヒューズユニット等は、一般的に絶縁材料である合成樹脂からなり、ドライバ等の金属工具を使用してこじれば、傷がつきやすく、脱着が度重なれば見栄えが低下し、亀裂を生じさせる虞もあった。
本発明は上記状況に鑑みてなされたもので、その目的は、バッテリヒューズユニットから片手で容易に（ワンタッチで）取り外すことができるバッテリヒューズユニット用保護カバー及びその着脱方法を提供することにある。
【課題を解決するための手段】
【０００５】
本発明に係る上記目的は、下記構成により達成される。
（１）  ヒューズユニットの上面縁部を側壁よりも突出させて設けた係止凸部と、
下面に開口部を有し可撓性材料からなる箱状の保護カバー本体と、
前記開口部の縁部にヒンジを介して接続され該保護カバー本体の内側に折り曲げられて先端部が前記係止凸部に下方から係止する係止板と、
該係止板に設けられ保護カバー本体側板からの押圧にて内方へ撓み前記先端部を前記係止凸部から係止解除方向に変位させる屈曲部と、
を具備したことを特徴とするバッテリヒューズユニット用保護カバー。
【０００６】
このバッテリヒューズユニット用保護カバーによれば、係止板を内側に折り曲げた保護カバー本体がヒューズユニットに被せられると、ヒューズユニットの係止凸部が係止板のヒンジ側から先端に向かって相対移動し、係止板を通過すると同時に、弾性復元する係止板の先端部に係止凸部の係止下面が係止され、保護カバー本体がヒューズユニットから抜脱不能に係止（ロック）されて装着が完了する。手指で保護カバー本体側板が押圧されると、屈曲部が変形して先端部が係止解除方向へ変位し、係止板の先端部が係止凸部から係止解除され、保護カバー本体がヒューズユニットから脱着可能となる。
【０００７】
（２）  （１）のバッテリヒューズユニット用保護カバーであって、
前記係止凸部が、上面縁部の両側にそれぞれ設けられ、
前記係止板が、前記開口部の平行な一対の両辺部にそれぞれ設けられたことを特徴とするバッテリヒューズユニット用保護カバー。
【０００８】
このバッテリヒューズユニット用保護カバーによれば、ヒューズユニットの両側面に設けられた一対の係止凸部に、保護カバー本体の開口部両辺部に設けられた一対の係止板が係止し、一組の係止板及び係止凸部を係合させる場合に比べ、係止距離が大きくなり、信頼性の高い係止及び係止解除が可能となる。
【０００９】
（３）  （１）又は（２）のバッテリヒューズユニット用保護カバーであって、
前記屈曲部が、前記先端部と前記ヒンジの間に形成され前記保護カバー本体側板の裏面に頂部が当接するとともに裾部が徐々に離反して広がるく字状屈曲部であることを特徴とするバッテリヒューズユニット用保護カバー。
【００１０】
このバッテリヒューズユニット用保護カバーによれば、頂部が押圧されることで頂部を挟む一対の裾部が広がる。その裾部の係止板先端側となる一方に上記先端部を設けることにより、簡素な構造にて先端部が係止凸部から係止解除方向へ容易に変位可能となる。
【００１１】
（４）  （１）〜（３）のいずれか１つのバッテリヒューズユニット用保護カバーであって、
前記係止凸部の係止下面と突出先端面との交わる角部に面取り部が設けられたことを特徴とするバッテリヒューズユニット用保護カバー。
【００１２】
このバッテリヒューズユニット用保護カバーによれば、鋭角の角部が存在するよりも、先端部の係止解除性がスムースとなる。なお、係止下面の先端部当接部位まで面取り部を拡大形成しなければ、角部が除去されることによる係止信頼性の低下はない。
【００１３】
（５）  （１）〜（４）のいずれか１つのバッテリヒューズユニット用保護カバーであって、
前記係止凸部の係止下面が、前記側壁より離反するにしたがって下る傾斜面であることを特徴とするバッテリヒューズユニット用保護カバー。
【００１４】
このバッテリヒューズユニット用保護カバーによれば、先端部の係止する係止下面が下り勾配となることで、係止した先端部を係止凸部の基端側へ摺動させる分力が作用するようになり、振動や衝撃等により先端部が係止凸部の先端側へ移動することによる係止外れが生じ難くなる。
【００１５】
（６）  （１）〜（５）のいずれか１つのバッテリヒューズユニット用保護カバーであって、
前記先端部が当接する係止凸部直下の前記側壁の上端部に、上方に向かって前記側壁から突出する方向へ傾斜する傾斜部が設けられたことを特徴とするバッテリヒューズユニット用保護カバー。
【００１６】
このバッテリヒューズユニット用保護カバーによれば、先端部（より正確には先端部に近接する屈曲部上側の裾部）が傾斜部に当接した状態となり、屈曲部の外方からの押圧により、裾部が傾斜部へと押しつけられると、裾部が傾斜部に沿って上方に摺動され、先端部が側壁から突出する方向へ移動される。これにより、屈曲部押圧時の先端部の係止解除性が良好となる。
【００１７】
（７）  （１）〜（６）のいずれか１つのバッテリヒューズユニット用保護カバーであって、
前記保護カバー本体側板の裏面と保護カバー本体内部天井面との隅部に、下面が係止凸部上面に当接し、側面が係止凸部突出先端面に当接する逆Ｌ字状の当接座部が形成されたことを特徴とするバッテリヒューズユニット用保護カバー。
【００１８】
このバッテリヒューズユニット用保護カバーによれば、先端部が係止凸部の係止下面に当接すると、同時に、係止凸部上面が当接座部の下面に当接するとともに、係止凸部突出先端面が当接座部の側面に当接する。係止凸部は、上下方向が当接座部下面と先端部とに当接し、横方向が当接座部側面に当接して移動規制される。つまり、装着状態でのガタツキが発生しなくなる。
【００１９】
（８）  （１）〜（７）のいずれか１つのバッテリヒューズユニット用保護カバーの着脱方法であって、
保護カバー本体の下面開口部縁部にヒンジを介し接続した係止板を該保護カバー本体の内側に折り曲げ、
上面縁部を側壁よりも突出させた係止凸部を有するヒューズユニットに、上方から前記保護カバー本体を被せて前記係止板の先端部を前記係止凸部に下方から係止して装着する一方、保護カバー本体側板からの押圧にて前記係止板の屈曲部を内方へ撓めることで前記先端部を前記係止凸部から係止解除方向に変位させて前記保護カバー本体を前記ヒューズユニットから脱着可能とするバッテリヒューズユニット用保護カバーの着脱方法。
【００２０】
このバッテリヒューズユニット用保護カバーの着脱方法によれば、係止板の折り曲げられた保護カバー本体がヒューズユニットに被せられると、係止板の先端部に係止凸部の係止下面が係止され、保護カバー本体がヒューズユニットから抜脱不能に係止（ロック）されて装着が完了する。手指で保護カバー本体側板が押圧されると、屈曲部が変形して先端部を係止解除方向へ変位させ、係止板先端部と係止凸部が係止解除され、保護カバー本体がヒューズユニットから脱着可能となる。
【発明の効果】
【００２１】
本発明に係るバッテリヒューズユニット用保護カバーによれば、ヒューズユニットに係止凸部を設け、保護カバー本体にヒンジを介して係止板を接続し、保護カバー本体側板からの押圧にて先端部を係止凸部から係止解除方向に変位させる屈曲部を係止板に設けたので、手指で保護カバー本体側板を押圧しながら引き抜くことで、係止板と係止凸部の係止を解除し、バッテリヒューズユニットから保護カバー本体を片手で容易に（ワンタッチで）取り外すことができる。
【００２２】
本発明に係るバッテリヒューズユニット用保護カバーの着脱方法によれば、係止板を内側に折り曲げた保護カバー本体をヒューズユニットに上方から被せて装着する一方、保護カバー本体の側板を押圧することで、係止板の先端部を係止凸部から係止解除できるので、片手によるワンタッチでの着脱が可能となり、作業性を向上させることができる。
【発明を実施するための最良の形態】
【００２３】
以下、本発明に係るバッテリヒューズユニット用保護カバー及びその着脱方法の好適な実施の形態について図面を参照して説明する。
図１は本発明に係るバッテリヒューズユニット用保護カバーの一部分を切り欠いた斜視図、図２は図１の分解正面図、図３（ａ）は図１に示した保護カバー本体を斜め上方から見た斜視図、（ｂ）は斜め下方から見た斜視図、図４は係止状態における一部分を切り欠いた保護カバー本体をヒューズユニットと共に示した正面図である。
【００２４】
本実施の形態によるバッテリヒューズユニット用保護カバー（以下、単に「保護カバー」と称す。）１００は、被着体であるバッテリヒューズユニット（以下、単に「ヒューズユニット」と称す。）、バッテリ、或いはその他のバッテリ接続部材を覆う用途に供せられる。本実施の形態では、被着体がヒューズユニット１である場合を例に説明するが、その他上記のものであっても良い。
【００２５】
ヒューズユニット１は、バッテリポスト（不図示）に接続したバッテリ端子に接続するバスバ（不図示）を樹脂製のハウジング（不図示）に収容固定してなる。ヒューズユニット１は、上面縁部３を側壁５，５よりも突出させて設けた係止凸部７，７を有している。
【００２６】
保護カバー１００は、保護カバー本体９を有する。保護カバー本体９は、下面に開口部１１を有し、可撓性材料からなる四角箱状に形成される。可撓性材料としては、耐熱性の塩化ビニールその他のプラスチック等の合成樹脂材料を好適に用いることができる。保護カバー本体９の開口部１１の縁部１３には、ヒンジ１５を介して係止板１７が接続される。ヒンジ１５は、薄肉で形成された樹脂片からなり、係止板１７を回動自在に接続する。係止板１７は、ヒンジ１５を介して保護カバー本体９と一体形成される。図３（ｂ）に示すように、係止板１７は、保護カバー本体９の内側に折り曲げられることで、図１，図４に示すように、先端部１９が係止凸部７に下方から係止可能となる。
【００２７】
係止板１７には屈曲部２１が設けられ、屈曲部２１は保護カバー本体側板２３からの押圧にて内方へ撓み、先端部１９を係止凸部７から係止解除方向（図４中、左側の係止板１７では左方向、右側の係止板１７では右方向）に変位させる。本実施の形態では、屈曲部２１が、先端部１９とヒンジ１５の間に形成され、保護カバー本体側板２３の裏面に頂部２５が当接するとともに、裾部２７，２７が徐々に離反して広がるく字状屈曲部で形成されている。頂部２５が押圧されることで、頂部２５を挟む一対の裾部２７，２７が広がる。その裾部２７，２７の係止板先端側となる一方に上記の先端部１９を設けることにより、簡素な構造にて先端部１９が係止凸部７から係止解除方向へ容易に変位するようになっている。
【００２８】
本実施の形態では、係止凸部７，７が、ヒューズユニット１の上面縁部３の両側にそれぞれ設けられ、係止板１７，１７が、開口部１１の平行な一対の両辺部２９，２９（図３（ｂ）参照）にそれぞれ設けられている。ヒューズユニット１の両側面に設けられた一対の係止凸部７，７に、保護カバー本体９の開口部両辺部２９，２９に設けられた一対の係止板１７，１７が係止することで、一組の係止板１７及び係止凸部７を係合させる場合に比べ、係止距離が大きくなり（二つの係止板１７，１７の係止変位量の合計となる）、信頼性の高い係止及び係止解除が可能となる。
【００２９】
保護カバー１００では、図２に示すように、係止凸部７の係止下面７ａと突出先端面７ｂとの交わる角部に面取り部Ｃが設けられている。面取り部Ｃが形成されることで、鋭角の角部が存在するよりも、先端部１９の係止解除性がスムースとなる。なお、係止下面７ａの先端部当接部位まで面取り部Ｃを拡大形成しなければ、角部が除去されることによる係止信頼性の低下はない。
【００３０】
また、係止凸部７の係止下面７ａは、側壁５より離反するにしたがって下る傾斜面で形成されている。すなわち、係止下面７ａの仮想延長線３１は上面縁部３に平行な仮想線３３に対し角度θ1傾斜している。先端部１９の係止する係止下面７ａが下り勾配となることで、係止した先端部１９を係止凸部７の基端側へ摺動させる分力が作用するようになる。これにより、振動や衝撃等により先端部１９が係止凸部７の先端側へ移動することによる係止外れが生じ難くなっている。
【００３１】
また、ヒューズユニット１には、先端部１９が当接する係止凸部直下の側壁５，５に、上方に向かって側壁５，５から突出する方向へ傾斜する傾斜部３５，３５が設けられている。すなわち、傾斜部３５は、側壁５に対し傾斜θ2の勾配を有している。保護カバー１００のヒューズユニット１への装着時、係止する先端部１９に近接する裾部２７が傾斜部３５に当接した状態となる。この状態で、屈曲部２１の外方からの押圧により、裾部２７が傾斜部３５へと押しつけられると、裾部２７が傾斜部３５に沿って上方に向かって摺動し、その結果、先端部１９が側壁５から突出する方向へ移動される。これにより、屈曲部押圧時の先端部１９の係止解除性が良好となる。
【００３２】
さらに、図２に示すように、保護カバー本体側板２３の裏面と保護カバー本体内部天井面３７との隅部には、下面３９が係止凸部上面（上面縁部３）に当接し、側面４１が係止凸部突出先端面７ｂに当接する逆Ｌ字状の当接座部４３が形成されている。先端部１９が係止凸部７の係止下面７ａに当接すると、同時に、係止凸部７の上面縁部３が当接座部４３の下面３９に当接するとともに、係止凸部突出先端面７ｂが当接座部４３の側面４１に当接する。これにより、係止凸部７，７は、上下方向が当接座部４３の下面３９と係止板１７の先端部１９とに当接し、横方向が当接座部４３の側面４１に当接して移動規制される。つまり、装着状態でのガタツキが発生しなくなっている。
【００３３】
次に、上記したバッテリヒューズユニット用保護カバーの着脱方法を説明する。
図５は係止解除状態における保護カバー本体の一部分を切り欠いた正面図である。
保護カバー１００は、ヒューズユニット１に装着するに際し、先ず、保護カバー本体９の下面開口部１１内に係止板１７，１７を折り曲げる。
【００３４】
次いで、係止板１７，１７を内側に配置した保護カバー本体９を、ヒューズユニット１に上方から被せる。保護カバー本体９をヒューズユニット１に被せると、ヒューズユニット１の係止凸部７，７が係止板１７，１７のヒンジ側から先端部１９に向かって相対移動する。係止凸部７が上側の裾部２７（図５参照）を通過する際、係止板１７は外側へ弾性変形する。係止凸部７が係止板１７，１７を通過すると同時に、弾性復元する係止板１７，１７の先端部１９，１９が係止凸部７，７の係止下面７ａ，７ａに係止する。これにより、保護カバー本体９がヒューズユニット１から抜脱不能に係止（ロック）されて装着が完了する。
【００３５】
一方、保護カバー本体９をヒューズユニット１から脱着するには、図５に示すように、手指の挟持力Ｆで保護カバー本体側板２３，２３を押圧し、屈曲部２１，２１の頂部２５，２５を内方へ撓める。頂部２５，２５を内方へ撓めることで、上側の裾部２７を傾斜部３５に沿って上方へ移動させ、係止板１７，１７の先端部１９，１９を係止凸部７，７から係止解除方向へ変位させる。この状態のまま、保護カバー本体９を上方へ引き抜き、保護カバー本体９をヒューズユニット１から離脱して脱着を完了する。
【００３６】
このように、保護カバー１００の着脱方法では、係止板１７，１７を内側に折り曲げた保護カバー本体９をヒューズユニット１に上方から被せて装着する一方、保護カバー本体９の側板２３，２３を押圧することで、係止板１７，１７の先端部１９，１９を係止凸部７，７から係止解除できるので、片手によるワンタッチでの着脱が可能となる。
【００３７】
したがって、上記構成のバッテリヒューズユニット用保護カバー１００によれば、ヒューズユニット１に係止凸部７，７を設け、保護カバー本体９にヒンジ１５，１５を介して係止板１７，１７を接続し、保護カバー本体側板２３，２３からの押圧にて先端部１９，１９を係止凸部７，７から係止解除方向に変位させる屈曲部２１，２１を係止板１７，１７に設けたので、手指で保護カバー本体側板２３，２３を押圧しながら引き抜くことで、係止板１７，１７と係止凸部７，７の係止を解除し、バッテリヒューズユニット１から保護カバー本体９を片手で容易に（ワンタッチで）取り外すことができる。この結果、保護カバー１００の着脱作業性を向上させることができる。
【００３８】
また、係止板１７，１７の弾性変形により係止・係止解除を行うので、従来構造のように、工具を用いてこじる必要がなく、工具による傷つきを防止して、良好な見栄えを維持しながら、耐久性を向上させることができる。
【図面の簡単な説明】
【００３９】
【図１】本発明に係るバッテリヒューズユニット用保護カバーの一部分を切り欠いた斜視図である。
【図２】図１の分解正面図である。
【図３】（ａ）は図１に示した保護カバー本体を斜め上方から見た斜視図、（ｂ）は斜め下方から見た斜視図である。
【図４】係止状態における一部分を切り欠いた保護カバー本体をヒューズユニットと共に示した正面図である。
【図５】係止解除状態における保護カバー本体の一部分を切り欠いた正面図である。
【符号の説明】
【００４０】
１  ヒューズユニット
３  上面縁部、係止凸部上面
５  側壁
７  係止凸部
７ａ  係止凸部の係止下面
７ｂ  突出先端面
９  保護カバー本体
１１  開口部
１３  開口部の縁部
１５  ヒンジ
１７  係止板
１９  先端部
２１  屈曲部
２３  保護カバー本体側板
２５  頂部
２７  裾部
２９  開口部の平行な一対の両辺部
３５  傾斜部
３７  保護カバー本体内部天井面
３９  下面
４１  側面
４３  当接座部
１００  保護カバー（バッテリヒューズユニット用保護カバー）
Ｃ  面取り部
【図１】
2010092730.tif 000003
【図２】
2010092730.tif 000004
【図３】
2010092730.tif 000005
【図４】
2010092730.tif 000006
【図５】
2010092730.tif 000007